(57)【特許請求の範囲】
【請求項１】
テレビジョン信号中に伝送されるテレテキストデータアイテムの受信方法であって、データ流をテレビジョン信号から分離し、個々のテレテキストページに属するデータアイテムをテレテキスト列としていっしょにまとめ、このようにしてまとめたテレテキストページを一時記憶し、テレテキストの各行をバイト同期させるために、１ｂｙｔｅから成るコントロールフレームをフレームワードとのビットごとの比較によりデータ流から選択しデコーディングする形式の、テレビジョン信号中に伝送されるテレテキストデータアイテムの受信方法において、
最後のテレビジョン走査線のテレテキストデータアイテムのクロックレートを持続させてクロックパルスカウンタにより計数して、相前後する２つのコントロールフレーム間の時間を測定し、
コントロールフレームをデコーディングする際に、フレームワードとのビットごとの比較中に生じる一致数に依存して、
ａ）コントロールフレーム中でエラーが発生せずビットごとの比較中に８つの一致が検出されれば、コントロールフレームが識別されたものとみなしカウンタをリセットするステップを実行し、
ｂ）コントロールフレーム中で１つまたは複数のエラーが発生して８つよりも小さい一致が検出されたときには、前記クロックパルスカウンタの計数状態に基づき、テレビジョン走査線周波数とテレテキストのクロックレートとの関係に依存する数値または該数値の倍数に達したか否かを判定し、当該数値に達していれば、エラー発生にかかわらずコントロールフレームが識別されたものとみなしてカウンタをリセットするステップを実行することを特徴とする、
テレビジョン信号中に伝送されるテレテキストデータアイテムの受信方法。
【請求項２】
前記の所定数または該所定数の倍数と僅かにしか隔たっていない計数状態についてもコントロールフレームが識別されたものとみなす、請求項１記載の方法。
【請求項３】
倍数ｎについて値ｎ＝１，２，３，．．．１５とし、次のフィールドに関してｎ＝２９８，２９９，．．．とし、前記所定数を”４４４”とする、請求項２記載の方法。
【請求項４】
ただ１つの帰線消去期間のクロックパルスだけを計数し、エラーがないと識別された最初のコントロールフレームからクロックレートを計数する、請求項１〜３のいずれか１項記載の方法。
【請求項５】
いわゆる学習モードにおいて、テレテキストデータのアイテムで占有された個々のテレビジョン走査線の間でカウンタのそのつどの計数状態を検出して記憶し、当該走査線に依存して、障害を受けたフレームワードを検出するために前記の記憶された計数状態を用いる、請求項１〜４のいずれか１項記載の方法。
【発明の詳細な説明】
【０００１】
【産業上の利用分野】
本発明は、テレビジョン信号中に伝送されるテレテキストデータアイテムの受信方法に関する。この場合、データ流をテレビジョン信号から分離し、個々のテレテキストページに属するデータアイテムをテレテキスト列としていっしょにまとめ、このようにしてまとめたテレテキストページを一時記憶し、テレテキストの各行をバイト同期させるために、１ｂｙｔｅから成るコントロールフレームをフレームワードとのビットごとの比較によりデータ流から選択しデコーディングする。
【０００２】
【従来の技術】
テレテキストページは、テレビジョン信号の帰線消去期間中に伝送される。１つのページの１つの行はそのつど、同期の目的で使用されるコントロールフレームと、読み取り可能な情報アイテムとして最終的にスクリーン上で表示される有効データアイテムのアドレス指定に用いられるアドレスフレームとともに、１つのテレビジョン走査線中で伝送される。
【０００３】
この形式の手法は、"The World System Teletext, Technical Specification",Department of Trade and Industry, Information Technology Division, 29 Bressenden Place, GB- London SW1) により知られている。
【０００４】
両立性の理由で、通常のレベル１ページと、ドイツ連邦共和国特許第３９１４６９７号から公知であるようなそれよりも上位のレベルの補足ページは、同じコントロールフレームと、ハミング符号８／４で保護された同じアドレスフレームを有している。
【０００５】
そのつどハミング符号の評価により、アドレスフレームの１ワード中の１ビットエラーを検出して補正することができる。さらに、付加的なエラー保護手段を用いることなく１つのテレテキストページのアドレスフレームのデコーディングプロセスにおける安全性の度合いを高める目的で、次のようにすることが知られている（P 42 39 351 ）。すなわち、 デコーディングされ必要であればエラー補正された１つのテレテキスト行のアドレスフレームから、後続のテレテキスト行のためのアドレスフレームを予測し、１ワードの２つまたはそれ以上の情報ユニットの差異があれば、当該テレテキスト行のデータ流をアドレス指定するために、受信したアドレスフレームではなく予測したアドレスフレームを用いることが知られている。
【０００６】
したがってアドレスフレーム中−たとえば行アドレス中−で二重のエラーが生じても、デコーダは適正な行アドレスを再生成し、所属の有効データアイテムすべてを当該の行に割り当てることができる。
【０００７】
他方、二重エラーが有効データアイテム中−たとえば上位レベルの補足データアイテム中−で発生した場合、同時に伝送されたエラー保護情報アイテムを用いてデコーダにより補正を行うことができる。
【０００８】
しかし、デコーダ側における上述の補正手段に対する必要条件は、コントロールフレームを確実に識別することである。このコントロールフレームは、データクロックレート生成用の特有の信号シーケンスと、バイト同期用の８ビット長の所定の符号−いわゆるフレームワード−とにより合成されている。
【０００９】
バイト同期の目的で、到来するデータアイテムはビットごとにフレームワードと比較される。適正なバイト同期は、８つまたは７つの一致がデコーダにより検出されたときにしか可能ではなく、つまりフレームワードが障害を受けていない場合か、またはただ１つのエラーによってしか障害を受けていない場合にのみ可能である。
【００１０】
これに対し、フレームワード中の２つめのエラーが生じると、デコーダはコントロールフレームを認識しなくなってしまう。その結果、このテレビジョン走査線中の後続の有効データアイテムはすべて失われてしまう。
【００１１】
このため、テレテキスト仕様で定められたコントロールフレームのデコーディングは窮地に陥った状況にあることが判明しており、このような状況は、前記刊行物中で述べられているアドレスデコーディングプロセスと補足データアイテムのためのエラー保護手段を水泡に帰するものである。
【００１２】
フレームワードを比較する際の一致数に対する閾値を低減するのは望ましくない。その理由は、そのようにした場合にはフレームワードはもはや信頼できないからである。
【００１３】
しかも、コントロールフレームを変更することで上述の困難な状況を取り除くのは、両立性の理由で考慮の対象とはならない。この場合、改善されたコントロールフレーム保護には冗長性を相応に増やすことが必要とされるという事情があり、このような冗長性の増大により利用可能な有効データレートが減少するし、あるいは所望のテレテキストページに対する待ち時間が増えることになる。
【００１４】
さらに、最新世代のデコーダにおける特別な回路構成によっても、この問題に対するいかなる支援も得られない。つまり、受信状態が悪い間は、コントロールフレームの誤ったデコーディングのために１つのページの多数の走査線を認識できず、当該ページの残りの走査線がほとんどたいていはエラーのない状態であっても、それらの走査線はこのことにより表示されない。
【００１５】
【発明が解決しようとする課題】
したがって本発明の課題は、冒頭で述べた形式の方法において、たとえば二重エラーの生じたときに、他のいかなるエラー保護手段も用いることなくテレテキストページのコントロールフレームのデコーディングに対する安全性の度合いを高めることにある。
【００１６】
【課題を解決するための手段および利点】
本発明によればこの課題は、最後のテレビジョン走査線のテレテキストデータアイテムのクロックレートを持続させて計数し、コントロールフレームをデコーディングする際に、フレームワードとのビットごとの比較中に生じる一致数に依存して、
ａ）ビットごとの比較中に８つの一致が検出されれば、コントロールフレームが識別されたものとみなしカウンタをリセットするステップを実行し、
ｂ）８つよりも小さい一致が検出されたときには、クロックパルスカウンタの計数状態に基づき所定数または該所定数の倍数に達したか否かを判定し、当該数値に達していれば、コントロールフレームが識別されたものとみなしてカウンタをリセットするステップを実行する、
ことにより解決される。
【００１７】
従属請求項には有利な実施形態が示されている。
【００１８】
本発明による方法によれば、コントロールフレームが障害を受けたときに生じる困難な状況は次のようにして取り除かれる。すなわち、コントロールフレームを識別するために、到来するデータアイテムとフレームワードとをビットごとに比較することに加えて、最後のテレビジョン走査線からのテレテキストデータアイテムのクロックレートを持続させカウンタ手段により評価する。
【００１９】
次に、図面を参照して本発明を詳細に説明する。
【００２０】
【実施例の説明】
図１に単に概略的に示されているだけのテレテキストデコーダは本発明の理解に必要な詳細部だけを表すものである。このデコーダはデータ分離段１０を有しており、これによって到来テレビジョン信号からこの信号中に含まれるテレテキストデータ流を分離する。コントロールフレームデコーディング手段２０により、データのクロックレートとコントロールフレーム情報アイテム−これを用いてテレテキストデータ流の後続のデータアイテムをバイトごとにまとめることができる−が得られる。これについては図２を参照して後で詳細に説明する。これに続く段３０において、バイトごとにまとめられたテレテキストデータアイテムはアドレスフレームからの情報アイテムにしたがって行ごとにテレテキストページにまとめられ、ページメモリに一時記憶される。
【００２１】
ユーザの要求に応じて、一時記憶されたテレテキストページはコントロールユニット４０に制御されてページメモリ３０からキャラクタジェネレータ５０へ読み出され、キャラクタジェネレータ５０はテレテキストページをスクリーン上で表示する目的でＲ・Ｇ・Ｂ画像信号へ変換する。
【００２２】
図２におけるコントロールフレームデコーディング手段の実施例のブロック回路図から明らかなように、テレテキストデータアイテムのクロックレートはクロックパルス発生段２１により到来テレテキストデータ流から得られ、次のデータアイテムが到来するまで、必要な精度でクロックパルスが継続的に生成される。
【００２３】
本発明によれば、これらのクロックパルスとデータアイテムはバイト同期手段２２へ供給され、この手段はフレームワードを認識したときに識別信号を段２３へ送出する。やはりデータアイテムとクロックパルスが供給される段２３は、識別信号にしたがってデータ流をバイトへ分割し、アドレスフレームデコーディング手段３０（図１）においてこれらのバイトが利用できるようにする。
【００２４】
図３には、本発明によるバイト同期手段２２の基本構成図が示されている。到来したデータアイテムはバイトごとに比較器２２１により比較され、この比較器は、求めるべきフレームワードを固定記憶値として有する段２２２を備えている。”World System Teletext ”仕様ではフレームワード”27 hex ”が取り決められている。たとえばテレニュースペーパー用のサービスのような他のフレームワードを有するさらに別のサービスも考えられる。検出された一致数はそのつど、比較器２２１から評価−コントロール段２２３へ伝送される。８つの一致が通報されれば、フレームワードが確実に識別されたとただちにみなされる。そして相応の識別信号が図２の段２３へ送出され、クロックパルス発生手段２１からクロックパルスの供給されるカウンタ２２４がリセットされる。
【００２５】
他方、８つよりも少ない一致が通報された場合、カウンタ２２４の計数状態が段２２３により付加的に評価される。計数状態が４４４になるかまたはこの数の倍数になれば、やはり評価−コントロール段２２３によりフレームワードが認識され、これはフレームワードが１つまたは２つ（あるいはそれ以上）のエラーにより障害を受けた場合である。この場合にも識別信号が送出され、カウンタ２２４がリセットされる。
【００２６】
このプロセスを理解するために以下のことを述べておく：
テレテキスト用のクロックレートは、１５．６２５ｋＨｚの規格テレビジョン走査線周波数の４４４倍になる。このため本発明は、１つのフレームワードとテレテキストデータアイテムとを有する１つのテレビジョン走査線はｎ４４４クロックパルス後に生じると予測できる、という考察に基づく。この場合、ｎ＝１，２，３，．．．１５，２９８，２９９．．．である。
【００２７】
送信機とデコーダとの間でクロック周波数が僅かに異なるのを補償調整する目的で、殊に個々のデータ流の間に１フィールドの期間があるとき、つまりｎが２９７よりも大きいときに、評価に用いるべきｎ４４４±１クロックパルスの計数状態を許容するのも好適である。
【００２８】
さらに、デコーダ側におけるコストを制限する目的で、そのつどただ１つのの帰線消去期間のクロックパルスしか計数しないようにすると好適である。この場合には、そのつど１フィールドの最初のテレテキスト行はエラーのないフレームワードのときにしか検出できないことを甘受することになる。
【００２９】
殊に、所定の走査線のテレテキストデータアイテムを複数の異なる送信機により生成可能な、いわゆる”パラレルモード”で動作するテレテキストプログラムにとって好適であるのは、評価−コントロール段２２３に個々の計数状態を個々のテレテキスト行の間に記憶する（学習モード）ことであって、これによりそれらを、障害を受けたフレームワードを識別するために当該走査線に依存して後で利用できるようになる。
【００３０】
図４および図５には、二重に障害を受けたフレームワードに対する既述のコントロールフレーム識別について１つの実例を用いてさらに詳細に示されている。
【００３１】
図４には、障害を受けていないコントロールフレームのデータシーケンスが示されており、このコントロールフレームはクロックパルス成分とフレームワードから成る。このコントロールフレームにはアドレスフレーム部分が続いている。
【００３２】
図５には、クロックパルスＴ−８），Ｔ−７）．．．，Ｔ）に関して、２つのエラーにより障害を受けたフレームワードを有するデータ流の構造が示されている。この場合、Ｔ）は、生じたフレームワード構造を検出できる時点である。クロックパルスＴ−８）において、ビットシーケンス”１０１０１０１０”が、記憶されている識別すべきフレームワード”１１１００１００”と比較され、４つの一致（位置”１＿１１＿１”）が検出される。クロックパルスカウンタは”４３６”（４４４−８クロックパルス）にある。
【００３３】
後続のクロックパルスＴ−７）において、一致数は５つ（位置”＿１＿１１１”）に増加し、カウンタの計数状態は”４３７”になる。
【００３４】
さらにクロックパルスＴ−４）において、すでに７つの位置におけるデータシーケンスは検出すべきフレームワードに類似している。仕様どおりに動作する従来のデコーダはこのようなデータシーケンスによって欺かれ、４クロックパルスも早過ぎる時点でフレームワードが識別されたと誤報してしまう。
【００３５】
他方、本発明による方法にしたがって構成されたデコーダはクロックパルスＴ）において、６つの一致数と計数状態”４４４”とが生じたことから、フレームワードが存在していることを常に正確に識別する。その後、デコーダは識別信号を送出する。
【００３６】
【発明の効果】
本発明による方法によれば、たとえば二重エラーの生じたときに、他のいかなるエラー保護手段も用いることなくテレテキストページのコントロールフレームのデコーディングに対する安全性の度合いを高めることができる。
【図面の簡単な説明】
【図１】コントロールフレームデコーディング手段を有するテレテキストデコーダの略図である。
【図２】図１によるテレテキストデコーダのためのコントロールフレームデコーディング手段の略図である。
【図３】本発明によるコントロールフレームデコーディング手段の実施例を示す図である。
【図４】障害を受けていないコントロールフレームのデータシーケンスを示す図である。
【図５】２つのエラーにより障害を受けたフレームワードを有するデータ流の構造を示す図である。
【符号の説明】
１０  分離段
２０  コントロールフレームデコーディング手段
３０  ページメモリ
４０  コントロールユニット
【図１】
0003649766.tif 000002
【図２】
0003649766.tif 000003
【図３】
0003649766.tif 000004
【図４】
0003649766.tif 000005
【図５】
0003649766.tif 000006